(57)【要約】【課題】  バンドのエンドピースを腕時計ケースに固定した際に生じたガタを容易に調整可能とする。【解決手段】  バンド２０の幅方向に貫通する貫通孔３１を形成し、当該貫通孔３１に挿通したピンにより、時計ケース１１のカン１４にエンドピース２１ａをピン止めする構成の時計用バンドにおいて、前記エンドピース２１ａを、前記貫通孔３１の位置を調整可能に構成した。【選択図】      図３
2005160530.tif 000002
【特許請求の範囲】
【請求項１】
バンドの幅方向に貫通する貫通孔が形成され、当該貫通孔に挿通されたピンにより、時計ケースのカンにピン止めされるエンドピースを有し、
前記エンドピースは、前記貫通孔の位置を調整可能に構成されている
ことを特徴とする時計用バンド。
【請求項２】
前記エンドピースは、前記時計ケースの高さ方向または前記バンドの長さ方向の少なくとも何れか一の方向に前記貫通孔の位置を調整可能に構成されている
ことを特徴とする請求項１に記載の時計用バンド。
【請求項３】
前記エンドピースの内部に、前記貫通孔を含む可動部を形成し、この可動部を支点まわりに可動させる調整部材を設けたことを特徴とする請求項１に記載の時計用バンド。
【請求項４】
前記エンドピースの内部に、前記貫通孔を含む第１可動部を形成し、この第１可動部を第１支点まわりに可動させて前記貫通孔の位置を前記時計ケースの高さ方向に調整する第１調整部材を設けると共に、
前記第１可動部内に前記貫通孔を含む第２可動部を形成し、この第２可動部を第２支点まわりに可動させて、前記貫通孔の位置を前記バンドの長さ方向に調整する第２調整部材を設けたことを特徴とする請求項１に記載の時計用バンド。
【請求項５】
前記エンドピースの内部に、前記貫通孔を含む可動部を形成し、この可動部を支点まわりに可動させて前記貫通孔の位置を前記時計ケースの高さ方向に調整する第１調整部材を設けると共に、前記時計ケースの側壁との離間距離を調整する第２調整部材を前記可動部に設けたことを特徴とする請求項１に記載の時計用バンド。
【請求項６】
前記可動部は、スリットにより前記エンドピース内部で分離されていることを特徴とする請求項３乃至５のいずれかに記載の時計用バンド。
【請求項７】
時計ケースと、この時計ケースに取り付けられる時計用バンドとを備えた時計において、
前記時計用バンドは、バンドの幅方向に貫通する貫通孔が形成され、当該貫通孔に挿通されたピンにより、時計ケースのカンにピン止めされるエンドピースを有し、
前記エンドピースは、前記貫通孔の位置を調整可能に構成されている
ことを特徴とする時計。
【請求項８】
前記エンドピースは、前記時計ケースの高さ方向または前記バンドの長さ方向の少なくとも何れか一の方向に前記貫通孔の位置を調整可能に構成されている
ことを特徴とする請求項７に記載の時計。
【請求項９】
前記エンドピースの内部に、前記貫通孔を含む可動部を形成し、この可動部を支点まわりに可動させる調整部材を設けたことを特徴とする請求項７に記載の時計。
【請求項１０】
前記エンドピースの内部に、前記貫通孔を含む第１可動部を形成し、この第１可動部を第１支点まわりに可動させて前記貫通孔の位置を前記時計ケースの高さ方向に調整する第１調整部材を設けると共に、
前記第１可動部内に前記貫通孔を含む第２可動部を形成し、この第２可動部を第２支点まわりに可動させて、前記貫通孔の位置を前記バンドの長さ方向に調整する第２調整部材を設けたことを特徴とする請求項７に記載の時計。
【請求項１１】
前記エンドピースの内部に、前記貫通孔を含む可動部を形成し、この可動部を支点まわりに可動させて前記貫通孔の位置を前記時計ケースの高さ方向に調整する第１調整部材を設けると共に、前記時計ケースの側壁との離間距離を調整する第２調整部材を前記可動部に設けたことを特徴とする請求項７に記載の時計。
【請求項１２】
前記可動部は、スリットにより前記エンドピース内部で分離されていることを特徴とする請求項９乃至１０のいずれかに記載の時計。
【発明の詳細な説明】
【技術分野】
【０００１】
本発明は、時計用バンド及び時計に係り、特にバンドに形成されたピン挿通用の貫通孔のズレを補正するための技術に関する。
【背景技術】
【０００２】
従来から腕時計のバンドとして、複数の金属製の駒を連結してなるバンドが用いられている。金属製バンドの腕時計への取付構造としては、次のような構造が一般的である。すなわち、腕時計ケースに設けられたカン（バンド固定部）に孔（ピン孔）を形成すると共に、金属製バンドの取り付け端となる駒（いわゆる「エンドピース」）にも孔（ピン孔）を形成し、これらの孔に連結ピン（或いはバネ棒）を挿通することで、当該連結ピンにより金属製バンドを腕時計ケースに取り付けるという構造である（例えば、特許文献１参照）。
【特許文献１】特開２０００−３３００４号公報
【発明の開示】
【発明が解決しようとする課題】
【０００３】
しかしながら、エンドピース及び腕時計ケースの各々に形成される孔の径は、連結ピンの直径と略同程度であるため、各々の孔の位置がズレていると、連結ピンを挿通できず、バンドを腕時計に取り付けできないという問題がある。従って、腕時計ケース及びエンドピース穴あけ加工時には、位置決め精度などの高い加工精度を要求されることとなる。
【０００４】
また、一般に、腕時計ケースにエンドピースを取り付けた際に、各々の間に隙間が生じないように上記孔位置が決められるものの、孔位置がズレている場合には、エンドピースと腕時計ケースとを連結ピンにて取り付けられたとしても、エンドピースと腕時計ケースとの間に隙間が生じ、結果としてガタが生じてしまうといった問題がある。
【０００５】
本発明は、上述した事情に鑑みてなされたものであり、バンドのエンドピースの孔位置にズレが生じている場合であっても、このズレを容易に補正することが可能な時計用バンド及び時計を提供することを目的とする。
【課題を解決するための手段】
【０００６】
上記目的を達成するために、本発明は、バンドの幅方向に貫通する貫通孔が形成され、当該貫通孔に挿通されたピンにより、時計ケースのカンにピン止めされるエンドピースを有し、前記エンドピースは、前記貫通孔の位置を調整可能に構成されていることを特徴とする時計用バンドを提供する。
本発明によれば、エンドピースの貫通孔の位置がズレていた場合であっても、その孔位置を調整することで、容易に、ズレを補正することが可能となる。
さらに、エンドピースを時計ケースのカンにピン止めした後にあっては、エンドピースの貫通孔の位置を調整することにより、エンドピースと時計ケースのカンとの相対的な位置を調整することが可能となる。
【０００７】
上記発明において、前記エンドピースは、前記時計ケースの高さ方向または前記バンドの長さ方向の少なくとも何れか一の方向に前記貫通孔の位置を調整可能に構成されていることが望ましい。
また、上記発明において、前記エンドピースの内部に、前記貫通孔を含む可動部を形成し、この可動部を支点まわりに可動させる調整部材を設けた構成も望ましい。
【０００８】
さらにまた、上記発明において、前記エンドピースの内部に、前記貫通孔を含む第１可動部を形成し、この第１可動部を第１支点まわりに可動させて前記貫通孔の位置を前記時計ケースの高さ方向に調整する第１調整部材を設けると共に、前記第１可動部内に前記貫通孔を含む第２可動部を形成し、この第２可動部を第２支点まわりに可動させて、前記貫通孔の位置を前記バンドの長さ方向に調整する第２調整部材を設けた構成も望ましい。
【０００９】
また、上記発明において、前記エンドピースの内部に、前記貫通孔を含む可動部を形成し、この可動部を支点まわりに可動させて前記貫通孔の位置を前記時計ケースの高さ方向に調整する第１調整部材を設けると共に、前記時計ケースの側壁との離間距離を調整する第２調整部材を前記可動部に設けた構成も望ましい。
また上記発明及び各望ましい構成において、前記可動部は、スリットにより前記エンドピース内部で分離されている構成が望ましい。
【００１０】
また、上記発明は、時計ケースと、この時計ケースに取り付けられる時計用バンドとを備えた時計において、当該時計用バンドのエンドピースにも適用することが可能である。
【発明の効果】
【００１１】
本発明によれば、バンドのエンドピースの孔位置にズレが生じている場合であっても、このズレを容易に補正することが可能となる。
【発明を実施するための最良の形態】
【００１２】
以下図面を参照して、本発明の実施の形態について説明する。図１は、本実施形態に係る腕時計の外観構成を示す図である。腕時計１は、時刻表示を行う時計本体１０と、この時計本体１０に連結されたバンド２０とを備えている。時計本体１０は、ステンレス、チタン、真鍮等の金属材料から形成された時計ケース１１と、その時計ケース１１に収容される時計機構１２とを有している。時計機構１２は、時刻の計時及び表示を行うものであり、時刻表示針や図示せぬムーブメントなどを備えている。なお、同図には、腕時計の一例として指針式の腕時計を例示したが、これに限らず、時刻をデジタル表示する腕時計であってもよい。
【００１３】
バンド２０は、ステンレス、チタン、アルミニウム、真鍮等の金属材料で形成された駒２１を多数連結して構成され、その最も端にある駒２１ａ（以下、他の駒と区別するために「エンドピース２１ａ」という）が時計ケース１１の１２時側及び６時側の各々に連結される。なお、図示は省略するが、このバンド２０には、このバンド２０を、この腕時計１の装着部位（装着者の手首）に合わせた長さで留めるための留め具（二ツ折方式、三ツ折方式、両開き方式など）が設けられている。
【００１４】
図２は、時計ケース１１とバンド２０との取付構造を腕時計１の背面側から見た斜視図である。なお、時計ケース１１の１２側へのバンド２０の取付構造及び６時側へのバンド取付構造は各々同様であるため、同図には一方の取り付け構造のみを示す。同図に示すように、時計ケース１１には、バンド２０のエンドピース２１ａが取り付けられる２本のカン１４が設けられ、これらのカン１４には、バンド２０の幅方向に延びる貫通孔１５が形成されている。なお、カン１４の形状は、２本のカン１４を有する形状に限らず、２本のカン１４の時計ケース１１表側に屋根を設けた形状（いわゆる屋根付きカン形状）など他の形状を適用してもよい。
【００１５】
一方、バンド２０のエンドピース２１ａにも、バンド２０の幅方向に延びる貫通孔３１が形成されており、エンドピース２１ａと時計ケース１１とを嵌合させ、エンドピース２１ａの貫通孔３１及びカン１４の貫通孔１５とを連通させて、この連通した貫通孔３１、１５に連結ピン１６（或いはバネ棒）を挿通することによって、エンドピース２１ａと時計ケース１１とが連結される。また、エンドピース２１ａには、貫通孔３１とは別にもう一つの貫通孔３０が設けられており、この貫通孔３０は、他の駒２１のピン止めに用いられる。
【００１６】
ところで、エンドピース２１ａの貫通孔３１の形成位置がズレていると、エンドピース２１ａと時計ケース１１とを嵌合させた場合に、エンドピース２１ａの貫通孔３１の位置とカン１４の貫通孔１５の位置とがズレるために、連結ピン１６を挿通させることができないという事態が生じ得る。そこで、本実施の形態にあっては、貫通孔３１の位置を調整可能にエンドピース２１ａを構成し、貫通孔３１の位置がズレている場合であっても、そのズレを補正可能となっている。このエンドピース２１ａの構成について、図３を参照して詳述する。
【００１７】
図３は、図２に示すエンドピース２１ａをＡ−Ａ’線からみた断面図である。この図に示すように、エンドピース２１ａには、その内部にスリット７０が形成されている。このスリット７０は、大別すると、第１〜第４スリット部７０ａ〜７０ｄを有している。第１スリット部７０ａは、時計ケース１１に面するエンドピース２１ａの側面２２と貫通孔３１との間に設けられ、エンドピース２１ａの下面付近から貫通孔３１よりも高い位置まで略垂直に延びるように形成されたスリット部分である。第２スリット部７０ｂは、第１スリット部７０ａの上端からバンドの長さ方向に略水平に延びた後にエンドピース２１ａの下面に向かってなだらかに降下するように形成されたスリット部分である。また、第３スリット部７０ｃは、第２スリット部７０ｂの降下端からバンドの長さ方向に略水平に延びた後にエンドピース２１ａの下面に達するまで略垂直に延びるように形成されたスリット部分である。第４スリット部７０ｄについては後述する。
【００１８】
上記第１〜第３スリット部７０ａ〜７０ｃにより、エンドピース２１ａの下面側と、貫通孔３１から上の部分の上面側とが分離されると共に第１スリット部７０ａの下端付近にて連結された第１可動部８０が形成される。第１可動部８０は、この連結部分を支点Ｓ１として当該支点Ｓ１まわりに可動し、貫通孔３１の位置を図中矢印Ｙにて示す方向、すなわち、バンドの長さ方向に移動させることとなる。
【００１９】
本実施形態では、上記第１可動部８０を可動させるための第１調整部材として、２本の螺子５２が用いられている。詳述すると、図２及び図３に示すように、エンドピース２１ａの下面には、上記第３スリット部７０ｃの水平部分を貫通し、エンドピース２１ａの上面側に達する２つの螺子穴４１がバンドの幅方向に並んで形成されており、これらの螺子穴４１の各々に螺子５２が挿入されている。こられ螺子穴４１は、ドリルなどを用いた穴あけ加工により形成され、タップなどを用いた螺子溝形成加工によりエンドピース２１ａの上面側にのみ螺子溝が切られた構成となっている。各螺子穴４１には、エンドピース２１ａの下面側から抜け防止板５３と共に螺子５２が挿入され、これらの螺子５２の締め付けにより、エンドピース２１ａの下面側、すなわち、第１可動部８０が上面側に向かって押し上げられて貫通孔３１がバンドの長さ方向に移動する。従って、螺子５２の各々の締め付け量を調整することにより、貫通孔３１の位置をバンドの長さ方向に調整可能となる。
【００２０】
また、上記第１可動部８０には、さらに、貫通孔３１を時計ケース１１の高さ方向に可動させるための第２可動部８１が形成されている。詳述すると、貫通孔３１の下面側に、第１スリット部７０ａから第２スリット部７０ｂの近傍まで略水平に延びる第４スリット部７０ｄが形成され、第１スリット部７０ａ、第２スリット部７０ｂ及び第４スリット部７０ｄにより、貫通孔３１を含むエンドピース２１ａの中部分が上面側及び下面側から分離されると共に第４スリット部７０ｄの右端側で連結された第２可動部８１が形成される。この第２可動部８１は、この連結部分を支点Ｓ２として当該支点Ｓ２まわりに可動し、貫通孔３１の位置を図中矢印Ｘで示す方向、すなわち、時計ケース１１の高さ方向に移動させる。
【００２１】
この第２可動部８１を可動させるための第２調整部材として、上記第１調整部材と同様に、２本の螺子５０を用いることとしている。詳述すると、エンドピース２１ａの下面には、第４スリット部７０ｄを貫通し、エンドピース２１ａの中部分に達する２つの螺子穴４０がバンドの幅方向に並んで形成され、これらの螺子穴４０の各々に螺子５０が挿入されている。螺子穴４０は、ドリルなどを用いた穴あけ加工により形成され、タップなどを用いた螺子溝形成加工によりエンドピース２１ａの中部分にのみ螺子溝が切られた構成となっている。これらの螺子穴４０には、エンドピース２１ａの下面側から抜け防止板５１と共に螺子５０が挿入され、螺子５０の締め付けにより、エンドピース２１ａの中部分、すなわち、第２可動部８１が下面側に向かって押し下げられて貫通孔３１が時計ケース１１の高さ方向に移動する。これとは逆に螺子５０を緩める方向、すなわち、第２可動部８１から螺子５０が抜ける回転により、貫通穴３１を上面側に移動できるが、抜け防止板５１があることで、螺子５０の頭部分の高さ位置が第１可動部８０に固定され、初期状態より更に上方へ貫通穴３１を持ち上げることが出来る。この抜け防止板５１が無いと、螺子５０の頭が飛び出すだけで、貫通穴３１が上に上がらない。従って、螺子５０の締め付け量を調整することにより、貫通孔３１の位置を時計ケース１１の高さ方向に調整可能となる。
【００２２】
かかるエンドピース２１ａの構成の下、エンドピース２１ａを時計ケース１１のカン１４に嵌合させた場合に、エンドピース２１ａの貫通孔３１の位置と、カン１４の貫通孔１５の位置とがズレていた場合には、上記螺子５２、５０を締め付ける等して、第１及び第２可動部材８０、８１を可動させて貫通孔３１の位置を調整することで、そのズレを補正することが可能となる。
【００２３】
ここで、上記構成において、第１〜第４スリット部７０ａ〜７０ｄのスリット幅を変更することで、第１及び第２可動部８１、８１の可動範囲が変えることが可能である。すなわち、第１〜第４スリット部７０ａ〜７０ｄのスリット幅を大きくすることで、第１及び第２可動部８１、８１の可動範囲が大きくなり、貫通孔３１の補正レンジを大きくすることが可能となる。このように、補正レンジを大きくすることで、エンドピース２１ａを時計ケース１１に連結ピン１６にてピン止め固定した後に、螺子５２の締め付けを調整することで、エンドピース２１ａと時計ケース１１との間の隙間の幅を調整することができ、ユーザの好みに応じて、エンドピース２１ａを時計ケース１１に隙間無く固定することも、ある程度の緩み（ガタ）を持たせて固定することも可能となる。
【００２４】
＜変形例＞
上述した実施形態は、あくまでも本発明の一態様を示すものであり、本発明の範囲内で任意に変形可能である。そこで以下に、各種の変形例について説明する。
【００２５】
（１）上述した実施形態においては、第１可動部８０及び第２可動部８１を可動させるための調整部材として、２本の螺子を各々に用いる構成を示したが、これに限らず、図４に示すように、各々に対して１本の螺子５２’、５０’を設け、これらの螺子５２’、５０’により第１可動部８１及び第２可動部８１を調整する構成としても良い。具体的には、同図に示すように、上記実施形態における２つの螺子穴４１の略中間位置に１つの螺子穴４１’を形成し、この螺子穴４１’に１本の螺子５２’を挿入し、当該螺子５２’の締め付けを調整することで第１可動部８１を可動させる。また、本変形例では、上記実施形態における２つの螺子穴４０の略中間位置に１つの螺子穴４０’を形成し、この螺子穴４０’に１本の螺子５０’を挿入し、当該螺子５０’の締め付けを調整することで第２可動部８１を可動させるように構成する。
【００２６】
（２）上述した実施形態において、第１調整部材たる螺子５２を挿通するための螺子穴４１は、螺子５２の締め付けにより第１可動部８１を可動させることが可能であれば任意の位置に設けることができ、例えば次ぎの位置に設ける構成としても良い。
【００２７】
すなわち、図５に示すように、第１調整部材たる螺子５２が上記第２可動部８１を貫通してエンドピース２１ａの上面側に達するように螺子穴４１を設ける構成としても良い。詳述すると、この構成においては、上記第３スリット部７０ｃを設けずに、第２スリット部７０ｂの右端部が略垂直に延びてエンドピース２１ａの下面まで達するように形成されると共に、螺子穴４１は、第２スリット部７０ｂの垂直部分と螺子穴４０との間であって、第２可動部８１（エンドピース２１ａの中部分）を貫通する位置に形成されている。螺子穴４１が第２可動部８１を貫通する箇所の径は、螺子５２の径よりも大きく形成されており、当該螺子５２が締め付けられたとしても、第２可動部８１に力が加わらないように構成されている。この構成において、螺子５２を締め付けると、第１可動部８０が可動し、貫通孔３１が矢印Ｙ方向（バンドの長さ方向）に移動することとなる。
【００２８】
また図６に示すように、上記螺子穴４１をバンドの幅方向における２つの螺子穴４０の略中間地点に設ける構成としても良い。図７は、図６におけるＢ−Ｂ’線の断面図である。この図に示すように、螺子穴４１は、第２可動部８１を貫通してエンドピース２１ａの上面側に到達するように設けられると共に、この第２可動部８１を貫通する箇所においては、その径が螺子５２の径よりも大きく形成され、この螺子５２が締め付けられたとしても、第２可動部８１に力が加わらないように構成されている。この構成においても、螺子５２を締め付けることで、第１可動部８０が可動し、貫通孔３１が矢印Ｙ方向（バンドの長さ方向）に移動する。また、この構成においては、上記実施形態に比べ、螺子穴４１をエンドピース２１ａの後方（時計ケース１１が配置される側）に形成するため、エンドピース２１ａの前方（他の駒２１が接続される側）の長さを短くすることが可能となる。
【００２９】
（３）上述した実施形態において、貫通孔３１をバンドの長さ方向に移動させるための第１可動部８１をエンドピース２１ａに設ける構成としたが、これに限らず、図８に示すように、時計ケース１１の側面に対してバンドの長さ方向にエンドピース２１ａを離間あるいは近接させる調整部材としての螺子５５を設ける構成としても良い。より具体的には、エンドピース２１ａの時計ケース１１側の側面２２には、略水平方向に螺子穴４３が設けられ、この螺子穴４３に螺子５５が挿入され、当該螺子５５の螺子頭５５ａが時計ケース１１の側面に当接する構成となっている。従って、螺子５５を締め付け、当該螺子５５の螺子頭５５ａの位置を水平方向（バンドの長さ方向：図中矢印Ｚで示す）に移動させることにより、エンドピース２１ａと時計ケース１１との離間距離、すなわち、エンドピース２１ａの貫通孔３１とカン１４の貫通孔１５とのＺ方向の相対的な位置を調整することが可能となる。
【００３０】
また、本変形例においては、エンドピース２１ａに貫通孔３１の位置を時計ケース１１の高さ方向に移動させるための第３可動部８３が設けられている。この第３可動部８３は、貫通孔３１の上側に、時計ケース１１側の側面２２からバンドの長さ方向に略水平に延びる１本のスリット部７１によって形成され、このスリット部７１の右端付近を支点Ｓ３として可動するように構成されている。第３可動部８３を可動させるための第３調整部材には、上記実施形態と同様に螺子５４が用いられる。この螺子５４が挿通される螺子穴４２は、エンドピース２１ａの下面からスリット部７１を貫通して上面側に到達するように略垂直に形成されている。この螺子穴４２に螺子５４を挿通し、螺子５４の締め付けることで、エンドピース２１ａの下面が上面側に押圧され、これにより、第３可動部８３が支点Ｓ３まわりに可動することとなる。
【００３１】
さらに、本変形例においては、螺子５５の軸部分（ピン部分）もしくは螺子頭側面の一部をフラット面とした多角柱形状とすると共に、エンドピース２１ａの時計ケース１１側の側面２２において下面側に時計ケース１１との間に隙間が形成されるような形状になっている。この構成により、エンドピース２１ａの下面側から、当該エンドピース２１ａと時計ケース１１との隙間にスパナなどの工具を挿入し、この工具により螺子５５の上記角柱部分を回すことが可能となり、バンドを時計ケース１１に取り付けたまま、時計ケース１１とエンドピース２１ａとの離間距離（すなわちガタ）を調節することが可能となる。
【００３２】
（４）上述した実施形態及び各種の変形例において、螺子部材をエンドピース２１ａの下面側から挿入する構成としたが、これに限らず、エンドピース２１ａの上面側から挿入する構成であっても良い。この構成においては、螺子部材がユーザから視認され易い位置に露出するため、螺子部材の素材をエンドピース２１ａと略同一のものとしたりするなどして、当該螺子部材を目立たないような構成とすることが望ましい。
【図面の簡単な説明】
【００３３】
【図１】本発明の実施形態に係る腕時計の構成を示す図である。
【図２】時計ケースとバンドとの取付構造を腕時計１の背面側から見た斜視図である。
【図３】エンドピースの構成を示す断面図である。
【図４】本発明の変形例に係るエンドピースの構成を示す斜視図である。
【図５】本発明の他の変形例に係るエンドピースの構成を示す断面図である。
【図６】本発明の他の変形例に係るエンドピースの構成を示す斜視図である。
【図７】同エンドピースの構成を示す断面図である。
【図８】本発明の他の変形例に係るエンドピースの構成を示す断面図である。
【符号の説明】
【００３４】
１…腕時計、１０…時計本体、１１…時計ケース、１４…カン、１５…貫通孔、２０…バンド、２１…駒、２１ａ…エンドピース、１６…連結ピン、３１…貫通孔、４０、４０’、４１、４１’、４２、４３…螺子穴、５０、５０’、５２、５２’５４、５５…螺子、７０…スリット、７０ａ〜７０ｄ…第１〜第４スリット部、７１…スリット部、８０〜８３…第１〜第３可動部、Ｓ１、Ｓ２、Ｓ３…支点。
【図１】
2005160530.tif 000003
【図２】
2005160530.tif 000004
【図３】
2005160530.tif 000005
【図４】
2005160530.tif 000006
【図５】
2005160530.tif 000007
【図６】
2005160530.tif 000008
【図７】
2005160530.tif 000009
【図８】
2005160530.tif 000010